(57)【特許請求の範囲】
【請求項１】
電源コンセントに電気機器の電源プラグを接続する際において、前記電源コンセントと前記電源プラグとが対応しない場合に、前記電源コンセントと前記電源プラグとの間に介在させて両者を電気的に接続するプラグ変換アダプタであって、
アダプタ本体と、該アダプタ本体に着脱自在に取り付けられるプラグアースカバーと、からなり、
前記アダプタ本体は、
前記電源コンセントに対応する一対のアダプタピンと、
前記一対のアダプタピンに電気的に接続されるとともに前記電源プラグに対応する一対のソケットと、
該一対のソケットの間に設けられ、かつ前記プラグアースカバーを取り付ける側に第１の開口部を有する第１の溝と、を備え、
前記プラグアースカバーは、
前記アダプタ本体を取り付ける側に第２の開口部を有する第２の溝を備え、
前記アダプタ本体に前記プラグアースカバーを取り付けた際に、前記第１の溝と第２の溝とが突合されて細長状の穴が形成され、
該細長状の穴は、前記電源プラグが接地端子若しくはシャッタ開閉用ピンを有する３端子プラグであった場合、前記接地端子若しくはシャッタ開閉用ピンを挿入可能であること
を特徴とするプラグ変換アダプタ。
【請求項２】
前記アダプタ本体は、ガイドレールあるいはガイド溝を有し、前記プラグアースカバーは、前記アダプタ本体に設けられた前記ガイドレールに対応するガイド溝あるいは前記アダプタ本体に設けられた前記ガイド溝に対応するガイドレールを有することにより、前記プラグアースカバーは前記アダプタ本体にスライド可能に取り付けられること
を特徴とする請求項１に記載のプラグ変換アダプタ。
【請求項３】
前記一対のソケットが設けられた面に配設されるとともに、前記アダプタピンの一端が前記電源コンセントに差し込まれたときに、その電源コンセントの供給電圧を検出して、所定供給電圧である場合にこれを表示する検出表示手段を備えてなり、
前記電源プラグを挿入していない状態で前記検出表示手段が外部から確認できるようにしたことを特徴とする請求項１あるいは２に記載のプラグ変換アダプタ。
【請求項４】
前記アダプタ本体に延設され、前記一対のプラグを取り付ける延設部を備えるとともに、
前記延設部は、前記一対のプラグを取り付けた側の外形を、前記電源コンセントがＣタイプの電源コンセントあるいはＳＥタイプの電源コンセントのように凹部を有する電源コンセントである場合に、この凹部に挿入可能な大きさの外形としていることを特徴とする請求項１〜３いずれか１項に記載のプラグ変換アダプタ。
【請求項５】
前記第２の溝には、その長さ方向に貫通する挿入孔が設けられていることを特徴とする請求項１〜４いずれか１項に記載のプラグ変換アダプタ。
【請求項６】
前記プラグアースカバーの正面側には、
ＢＦタイプまたはＢＦ３点式タイプの電源コンセントに設けられたシャッタ開閉用ピン孔に差し込まれる第１マスタキーピンと、
前記第１マスタキーピンの先端に延長して設けられ、Ｏ２タイプの電源コンセントに設けられたシャッタ開閉用ピン孔に差し込まれて電力取出用ピン孔を塞いでいるシャッタを開く第２マスタキーピンと、が一体成形により突設されていること
を特徴とする請求項１〜３いずれか１項に記載のプラグ変換アダプタ。
【請求項７】
前記プラグアースカバーの正面側には、
Ｂ３タイプの電源コンセントに設けられたシャッタ開閉用ピン孔に差し込まれて電力取出用ピン孔を塞いでいるシャッタを開く第４マスタキーピンが突設されていること
を特徴とする請求項１〜３いずれか１項に記載のプラグ変換アダプタ。
【請求項８】
前記プラグアースカバーの正面側には、
ＢＦタイプまたはＢＦ３点式タイプの電源コンセントに設けられたシャッタ開閉用ピン孔に差し込まれる第１マスタキーピンと、
前記第１マスタキーピンの先端に延長して設けられ、Ｏ２タイプの電源コンセントに設けられたシャッタ開閉用ピン孔に差し込まれて電力取出用ピン孔を塞いでいるシャッタを開く第２マスタキーピンと、が一体成形により突設されていること
を特徴とする請求項４に記載のプラグ変換アダプタ。
【請求項９】
前記プラグアースカバーの正面側には、
Ｂ３タイプの電源コンセントに設けられたシャッタ開閉用ピン孔に差し込まれて電力取出用ピン孔を塞いでいるシャッタを開く第４マスタキーピンが突設されていること
を特徴とする請求項４に記載のプラグ変換アダプタ。
【請求項１０】
請求項１〜５いずれか１項に記載のプラグ変換アダプタと、Ｂ３タイプ，ＢＦタイプ，ＢＦ３点式タイプ，またはＯ２タイプのいずれかのタイプの電源コンセントに前記プラグ変換アダプタを装着する際に使用する補助プラグと、を有するプラグ変換アダプタ器具であって、
前記補助プラグは、
絶縁体で形成された一つの基板と、
前記基板の表面に突設され、ＢＦタイプまたはＢＦ３点式タイプの電源コンセントに設けられたシャッタ開閉用ピン孔に差し込まれる第１マスタキーピンと、
前記第１マスタキーピンの先端に延長して設けられ、Ｏ２タイプの電源コンセントに設けられたシャッタ開閉用ピン孔に差し込まれて電力取出用ピン孔を塞いでいるシャッタを開く第２マスタキーピンと、
前記基板の表面に突設され、前記第１マスタキーピンがＢＦ３点式タイプの電源コンセントのシャッタ開閉用ピン孔に差し込まれるとき同時にそのＢＦ３点式タイプの電源コンセントのシャッタに設けられた一対のシャッタ開閉用ピン溝に差し込まれ、前記第１マスタキーピンと協働して、電力取出用ピン孔を塞いでいるシャッタを開く一対の第３マスタキーピンと、
前記基板の裏面に突設され、Ｂ３タイプの電源コンセントに設けられたシャッタ開閉用ピン孔に差し込まれて電力取出用ピン孔を塞いでいるシャッタを開く第４マスタキーピンと、
前記基板の裏面に形成され、前記延設部の断面形状と同一形状を有する凹部と、
前記凹部の内側に穿設され、基板の裏面から表面にかけて貫通し、前記電源プラグが挿入されるピン挿入孔と、を具備すること
を特徴とするプラグ変換アダプタ器具。
【発明の詳細な説明】
【技術分野】
【０００１】
本発明は、特に異なる形状或いは異なるピン数の電源プラグに対応するプラグ変換アダプタ及びプラグ変換アダプタ器具に関するものである。
【背景技術】
【０００２】
電気器具などの電源プラグとこれを接続する電源コンセントは、国や地域によって多種の規格がある。例えば、特許文献１の図９には、このような多種の規格の電源コンセントの形状がＡ、Ｂ、Ｂ３、ＢＦ、Ｃ、Ｏ、ＳＥと７タイプ示されている。例えば、Ａタイプは日本、アメリカ及びカナダで主に使用されているアメリカンタイプの電源コンセントである。Ｂ、Ｂ３、ＢＦタイプはイギリス、香港、マレーシア、シンガポール、南アフリカ等で主に使用されているブリティッシュタイプの電源コンセントである。Ｃ、ＳＥタイプは、フランス、ドイツ、ベルギー等で主に使用されている電源コンセントである。この他にも特許文献１の図１３に示すＢＦ３点式タイプ及びＯ２タイプの電源コンセントもある。
【０００３】
このように、電源コンセントの規格は、電源端子だけの差込口のみを備えた２孔タイプのもの、電源端子の差込口の他に、接地端子の差込口も備えた３孔タイプのもの及びシャッタ開閉用ピン孔も備えたシャッタ開式３つ孔タイプのもの（Ｂ３タイプ、ＢＦタイプ、ＢＦ３点式タイプ、Ｏ２タイプなど）に大別される。
【０００４】
電源コンセント及び電源プラグの形状、プラグ端子の数及び寸法は各規格毎に異なるので、使用する電気機器（例えば、ドライヤ、シェーバ、パーソナルコンピュータなど）の電源プラグの形状と電源コンセントの形状とが適合しない場合には、プラグ変換アダプタを介在させる必要がある。
【０００５】
このようなプラグ変換アダプタとしては、特許文献２に記載のアダプタープラグがある。例えば、電源コンセントが２孔のＡタイプであり、電気機器の電源プラグが接地端子を備えた３極タイプのＢ３タイプである場合に、このアダプタープラグを介在させて電源プラグを接続すれば、電気機器を使用することが可能となる。
【０００６】
但し、この場合、接地端子が図１３に示すようにアダプタープラグ外部に露出することになる。洗濯機など水まわりにおいて使用する電気機器の場合には、接地端子によりアースする必要があるが、水まわり以外に使用する電気機器であればアースしなくても問題はないので、接地端子がアダプタープラグ外に露出していても電気機器を使用することには問題は生じない。この様子を示したのものが、図１３であり、この図１３は、アダプタープラグＡＰに電気機器の電源プラグ７を接続した場合の一部断面図である。この図１３を参照すれば明らかなように、電源端子７２、７２はアダプタープラグＡＰのアダプターピンＡ１の一端側に嵌合接続されているが、接地端子７１はアダプタープラグＡＰの外部に露出した状態となっている。
【０００７】
【特許文献１】特開２００４−１７８９６１号公報
【０００８】
【特許文献２】特開２００１−２７３９５８号公報
【発明の開示】
【発明が解決しようとする課題】
【０００９】
しかしながら、図１３に示すように、接地端子７１を露出した状態では、この接地端子７１に物を引っ掛けてしまったり、接地端子７１を手で触ってしまうことも有り得るので接地端子７１を外部に露出した状態を放置しておくことは好ましくない。ここで、接地端子７１の外部露出を防止すべく、このアダプタープラグＡＰに予め接地端子７１を挿入する孔を設けておくという構造も考えられる。しかしながら、そのような構造を採用した場合には、アダプタープラグＡＰ自体の大きさが大きくなってしまい携帯性が悪くなる。その上、アダプタープラグＡＰに接続する電源プラグ７は、このような３極タイプのものだけでなく、接地端子のない２極タイプのものもあり、この２極タイプの電源プラグを接続する用途にのみ用いる場合には、接地端子を挿入する孔は不要である。
【００１０】
本発明は、上記問題点を解決するために創出されたものであり、その目的とするところは、３極タイプの電源プラグを接続する際にも接地端子が外部に露出することなく、そのうえ携帯性にも優れたプラグ変換アダプタ及びプラグ変換アダプタ器具を提供することを目的としている。
【課題を解決するための手段】
【００１１】
上記課題を解決するために、本発明は、電源コンセントに電気機器の電源プラグを接続する際において、前記電源コンセントと前記電源プラグとが対応しない場合に、前記電源コンセントと前記電源プラグとの間に介在させて両者を電気的に接続するプラグ変換アダプタであって、アダプタ本体と、該アダプタ本体に着脱自在に取り付けられるプラグアースカバーと、からなり、前記アダプタ本体は、前記電源コンセントに対応する一対のアダプタピンと、前記一対のアダプタピンに電気的に接続されるとともに前記電源プラグに対応する一対のソケットと、該一対のソケットの間に設けられ、かつ前記プラグアースカバーを取り付ける側に第１の開口部を有する第１の溝と、を備え、前記プラグアースカバーは、前記アダプタ本体を取り付ける側に第２の開口部を有する第２の溝を備え、前記アダプタ本体に前記プラグアースカバーを取り付けた際に、前記第１の溝と第２の溝とが突合されて細長状の穴が形成され、該細長状の穴は、前記電源プラグが接地端子若しくはシャッタ開閉用ピンを有する３端子プラグであった場合、前記接地端子若しくはシャッタ開閉用ピンを挿入可能であることを特徴とする。
【００１２】
前記アダプタ本体は、ガイドレールあるいはガイド溝を有し、前記プラグアースカバーは、前記アダプタ本体に設けられた前記ガイドレールに対応するガイド溝あるいは前記アダプタ本体に設けられた前記ガイド溝に対応するガイドレールを有することにより、前記プラグアースカバーは前記アダプタ本体にスライド可能に取り付けられるように構成してもよい。
【００１３】
前記一対のソケットが設けられた面に配設されるとともに、前記アダプタピンの一端が前記電源コンセントに差し込まれたときに、その電源コンセントの供給電圧を検出して、所定供給電圧である場合にこれを表示する検出表示手段を備えてなり、前記電源プラグを挿入していない状態で前記検出表示手段が外部から確認できるように構成してもよい。
【００１４】
前記アダプタ本体に延設され、前記一対のプラグを取り付ける延設部を備えるとともに、前記延設部は、前記一対のプラグを取り付けた側の外形を、前記電源コンセントがＣタイプの電源コンセントあるいはＳＥタイプの電源コンセントのように凹部を有する電源コンセントである場合に、この凹部に挿入可能な大きさの外形としてもよい。
【００１５】
前記第２の溝には、その長さ方向に貫通する挿入孔が設けられていてもよい。
【００１６】
前記プラグアースカバーの正面側には、ＢＦタイプまたはＢＦ３点式タイプの電源コンセントに設けられたシャッタ開閉用ピン孔に差し込まれる第１マスタキーピンと、前記第１マスタキーピンの先端に延長して設けられ、Ｏ２タイプの電源コンセントに設けられたシャッタ開閉用ピン孔に差し込まれて電力取出用ピン孔を塞いでいるシャッタを開く第２マスタキーピンと、が一体成形により突設されているように構成してもよい。
【００１７】
また、前記プラグアースカバーの正面側には、Ｂ３タイプの電源コンセントに設けられたシャッタ開閉用ピン孔に差し込まれて電力取出用ピン孔を塞いでいるシャッタを開く第４マスタキーピンが突設されているように構成してもよい。
【００１８】
ここで、「プラグアースカバーの正面側」とは、前記挿入孔が設けられている面を背面側とした場合における各マスタキーピンの配置を示すために表現したものである。
【００１９】
また、本発明は、前記記載のプラグ変換アダプタと、Ｂ３タイプ，ＢＦタイプ，ＢＦ３点式タイプ，またはＯ２タイプのいずれかのタイプの電源コンセントに前記プラグ変換アダプタを装着する際に使用する補助プラグと、を有するプラグ変換アダプタ器具であって、前記補助プラグは、絶縁体で形成された一つの基板と、前記基板の表面に突設され、ＢＦタイプまたはＢＦ３点式タイプの電源コンセントに設けられたシャッタ開閉用ピン孔に差し込まれる第１マスタキーピンと、前記第１マスタキーピンの先端に延長して設けられ、Ｏ２タイプの電源コンセントに設けられたシャッタ開閉用ピン孔に差し込まれて電力取出用ピン孔を塞いでいるシャッタを開く第２マスタキーピンと、前記基板の表面に突設され、前記第１マスタキーピンがＢＦ３点式タイプの電源コンセントのシャッタ開閉用ピン孔に差し込まれるとき同時にそのＢＦ３点式タイプの電源コンセントのシャッタに設けられた一対のシャッタ開閉用ピン溝に差し込まれ、前記第１マスタキーピンと協働して、電力取出用ピン孔を塞いでいるシャッタを開く一対の第３マスタキーピンと、前記基板の裏面に突設され、Ｂ３タイプの電源コンセントに設けられたシャッタ開閉用ピン孔に差し込まれて電力取出用ピン孔を塞いでいるシャッタを開く第４マスタキーピンと、前記基板の裏面に形成され、前記延設部の断面形状と同一形状を有する凹部と、前記凹部の内側に穿設され、基板の裏面から表面にかけて貫通し、前記電源プラグが挿入されるピン挿入孔と、を具備することを特徴とする。
【発明の効果】
【００２０】
本発明にあっては、アダプタ本体と、このアダプタ本体に着脱自在に取り付けられるとともに、接地端子を挿入する挿入孔を有するプラグアースカバーと、からなる構成を採用したものである。このため、３極タイプの電源プラグを接続する際にはプラグアースカバーを取り付ければ接地端子が露出することなく、一方、２極タイプの電源プラグを接続する際にはプラグアースカバーを取り外して使用することができるので、ユーザにとっては使い勝手がよく、携帯性にも優れている。
【発明を実施するための最良の形態】
【００２１】
以下、本発明の実施形態について、図面を参照して説明する。以下においては、まず、本発明に係るプラグ変換アダプタの実施形態について、延設部を有しない形態を第１実施形態として図１〜４を参照して説明し、延設部を有する形態を第２実施形態として図５を参照し、プラグアースカバーにマスタキーピンを一体成形した形態を第３実施形態として図９〜図１１を参照して説明する。なお、各実施形態において、アダプタピンの形状は挿入する電源コンセントのタイプにそれぞれ対応する形態である。
【００２２】
図１は、本発明に係る第１実施形態のプラグ変換アダプタのアダプタ本体の構成を示す図であり、（ａ）は正面図、（ｂ）は裏面図、（ｃ）は斜視図、（ｄ）は側面図、（ｅ）は部分断面図である。図２は、本発明に係る第１実施形態のプラグ変換アダプタのプラグアースカバーの構成を示す図であり、（ａ）は正面図、（ｂ）は背面図、（ｃ）は側面図、（ｄ）は上面図である。図３は、本発明に係る第１実施形態のプラグ変換アダプタの構成を示す図であり、（ａ）は正面図、（ｂ）は背面図である。
【００２３】
図３に示すように本発明のプラグ変換アダプタ１は、アダプタ本体２と、アダプタ本体２に着脱自在に取り付けられるプラグアースカバー３とからなる。
【００２４】
図１に示すように、アダプタ本体２は、ケーシング２１と、ケーシング２１の前面２１ａに突出された一対のアダプタピン２２、２２とからなる。ケーシング２１の上部には、後述するプラグアースカバー３をスライドさせて取り付けるためのガイド溝２４、２４と、プラグアースカバー３を所定の位置に保持するための凹部２６が設けられている。
【００２５】
アダプタピン２２の形状は、挿入する電源コンセントの差込口の形状に適合するものである。例えば、電源コンセントの差込口の形状は、上記特許文献１で示している通り、Ａタイプ、Ｂタイプ、Ｃタイプなど、主に８タイプの形状があることから、アダプタピン２２の形状としては、これら８タイプのいずれかの形状とすればよい。
【００２６】
アダプタピン２２の一端２２ａ側は、コンセント挿入ピン部として電源コンセントの差込み口に挿入可能に形成され、また、アダプタピン２２の他端２２ｂ側には、電気機器の電源プラグと嵌合可能なプラグ嵌合部２２ｃが設けられている。プラグ嵌合部２２ｃの嵌合構造については各種考えられるが、本実施形態においては、２つの弾性変形可能な爪２２ｃ−１、２２ｃ−２で電源プラグを挟持する構造を採用している。
【００２７】
アダプタピン２２は絶縁性の筐体からなるケーシング２１に取付け固定されているが、その取付け固定の形態は、アダプタピン他端２２ｂ側のプラグ嵌合部２２ｃ全体がケーシング２１内に収納され、かつ、コンセント挿入ピン部（アダプタピン一端側）２２ａ全体がケーシング２１の前面２１ａから外部へ突出するような形態となっている。
【００２８】
ケーシング２１の背面２１ｂには、アダプタピン他端２２ｂのプラグ嵌合部２２ｃと対向する位置に、一対のソケット２３、２３（以下、単に「ソケット２３」と言う）が開設されており、ソケット２３からアダプタピン他端２２ｂ側のプラグ嵌合部２２ｃ側へ電源プラグの先端が挿入される。一対のソケット２３、２３の間には、プラグアースカバー３を取り付ける側に第１の開口部ＯＰ１を有する第１の溝Ｄ１が設けられている。
【００２９】
ソケット２３が設けられた面、すなわち、ケーシング２１の背面２１ｂ中央には、電源コンセントの電力供給状態を検出表示する手段として、電源確認ランプ２５が設置されており、この電源確認ランプ２５は、電源コンセントの電力供給状態を検出し表示するためにアダプタピン２２に直結され、かつ、電源コンセントからアダプタピン２２側への供給電力により点灯することができる。なお、電源確認ランプ２５はケーシング２１の背面２１ｂと面一若しくは該背面２１ｂより少し奥に引っ込んだ位置に配置されているが、このような配置構造を採用したのは、ケーシング２１の背面２１ｂには電源プラグのプラグ基部端面が対向するように当接するので、その当接の邪魔にならないようにするためである。また、電源確認ランプ２５は、ソケット２３に電気機器の電源プラグが差し込まれた状態で外部から視認できる位置に配設されていればよい。
【００３０】
電源コンセントまで電力が供給されている状態、すなわち、電源ＯＮ状態の電源コンセントにアダプタピン２２の一端（コンセント挿入ピン部）２２ａ側を差し込むと、その電源コンセントからアダプタピン２２側へ電力が供給されるが、この供給電力により電源確認ランプ２５が点灯する。また、電力が電源コンセントまで供給されていない状態、すなわち、電源ＯＦＦ状態の電源コンセントにアダプタピン２２の一端２２ａ側を差し込んだ場合には、電源コンセントからアダプタピン２２側への電力供給がなく、電源確認ランプ２５は点灯しない。
【００３１】
要するに、本実施形態のプラグ変換アダプタ１では、アダプタピン２２の一端を電源コンセントに差し込んだときの電源確認ランプ２５の点灯状態から、その電源コンセントの電力供給状態、すなわち電源コンセントが電源ＯＦＦ状態か否かを一目で判定確認することができる。
【００３２】
プラグアースカバー３は、図２に示す通り、絶縁性の筐体からなるケーシング３１からなる。プラグアースカバー３は、アダプタ本体２を取り付ける側に第２の開口部ＯＰ２を有する第２の溝Ｄ２を備える。ケーシング３１の背面３１ｂ側には電気機器の電源プラグの接地端子を挿入するための挿入孔３２が設けられている。挿入孔３２は、第２の溝Ｄ２の長さ方向に設けられているとともに、背面３１ｂから前面３１ａまで貫通している貫通孔である。挿入孔３２には上述のように接地端子が挿入されるため、挿入孔３２の深さは接地端子の先端が外部に露出しない程度である必要がある。挿入孔３２を貫通孔としておけば、底が不要となるので、底の分の材料費の削減、製品重量の軽減及び製品自体の小型化も図れる。
【００３３】
ケーシング３１の下部、すなわち、アダプタ本体２に取り付けられる側には側方に突出したガイドレール３３、３３と、下方に突出した凸部３４、３４が設けられている。ケーシング３１の胴体部３５は、ユーザが使用の際に掴み易いよう表面が凹凸状に形成されている。
【００３４】
このように構成されたアダプタ本体２とプラグアースカバー３とを結合すると、図３に示すように、第１の溝Ｄ１と第２の溝Ｄ２とが突合されて細長状の穴ＳＨが形成される。具体的に説明すると、アダプタ本体２のガイド溝２４、２４にプラグアースカバー３のガイドレール３３、３３を嵌合させる。この嵌合方法は、アダプタ本体２の背面２１ｂ側からプラグアースカバー３のガイドレール３３、３３をガイド溝２４、２４にアダプタピン２２の方向にスライドさせる。すると、プラグアースカバー３の凸部３４、３４がアダプタ本体２の凹部２６、２６に嵌合する。この凸部３４、３４と凹部２６、２６とによりプラグアースカバー３の前方への動きが規制されるとともに、ガイド溝２４、２４、ガイドレール３３、３３、凸部３４、３４及び凹部２６、２６により、アダプタ本体２上の所定の位置にプラグアースカバー３が取り付けられることになる。
【００３５】
このような構成としたことから、プラグアースカバー３はアダプタ本体２に着脱自在に取り付け可能となる。この取り付け構造としては、このような構造に限定されることなく、例えば、係止孔及び係止爪により係止されるようにしてもよく種々の構造が適用可能である。
【００３６】
また、アダプタ本体２とプラグアースカバー３とが接続された状態でプラグ変換アダプタ１に３極タイプの電気機器の電源プラグを接続した場合には、プラグアースカバー３の挿入孔３２に接地端子が挿入されるようになっている。図１２には、アダプタ本体２にプラグアースカバー３が接続されたプラグ変換アダプタ１に、３極タイプ７１、７２、７２の電気機器の電源プラグ７を接続した状態を示す一部断面図を示す。この図からも明らかな通り、電源プラグ７の接地端子７１はプラグアースカバー３の挿入孔３２に挿入されて、プラグ変換アダプタ１の外部に露出していない。
【００３７】
一方、２極タイプの電源プラグを接続する場合にのみプラグ変換アダプタ１を使用する場合には、プラグアースカバー３は不要となるので、プラグアースカバー３は取り外して使用すればよいし、旅行先にも携帯する必要もない。よって、ユーザにとっては使い勝手がよく、携帯性にも優れている。
【００３８】
図６には、プラグ変換アダプタ１を種々のタイプの電源コンセントに対応させて使用する場合の斜視図が示されており、（ａ）はＡタイプの電源コンセント６１に接続する場合、（ｂ）はＢタイプの電源コンセント６２に接続する場合、（ｃ）はＯタイプの電源コンセント６３に接続する場合を示している。なお、Ａタイプの電源コンセント６１に接続して使用する場合には、アダプタピン２２はこのＡタイプに挿入可能な形状であり、同様に、Ｂタイプの電源コンセント６２に接続して使用する場合には、アダプタピン２２はこのＢタイプに挿入可能な形状であり、Ｏタイプの電源コンセント６３に接続して使用する場合には、アダプタピン２２はこのＯタイプに挿入可能な形状でそれぞれ形成されている必要がある。
【００３９】
次に、本発明に係る第２実施形態のプラグ変換アダプタのアダプタ本体の構成について主に図４及び図７を参照して説明する。図４は、本発明に係る第２実施形態のプラグ変換アダプタのアダプタ本体の構成を示す図であり、（ａ）は正面図、（ｂ）は裏面図、（ｃ）は斜視図、（ｄ）は側面図である。図７は、本発明に係る第２実施形態に係るプラグ変換アダプタを種々のタイプ（Ｃ、ＳＥタイプ）の電源コンセントに対応させて使用する場合の説明図である。なお、プラグアースカバーについては、上記第１実施形態のプラグアースカバー３と同一の構成のものを使用する。
【００４０】
上記第１実施形態に係るプラグ変換アダプタ１は、主に、Ａタイプ、Ｂタイプ、及びＯタイプに使用する。すなわち、ＣタイプやＳＥタイプのような電源コンセントに凹部６４Ａ、６５Ａを有するような場合には、この凹部６４Ａ、６５Ａにアダプタ本体２のケーシング２１を嵌め込むことができないので、アダプタピン２２、２２を挿入しても電源が供給されなかったり、安定性が悪い。そこで、このような凹部６４Ａ、６５Ａを有するＣタイプやＳＥタイプの電源コンセント６４、６５には、この第２実施形態に係るプラグ変換アダプタ１Ａを使用する。
【００４１】
要するに、上記第１実施形態に係るプラグ変換アダプタ１と相違する部分は、ＣタイプやＳＥタイプなどのように凹部６４Ａ、６５Ａを有する電源コンセントに適合させるべく、この凹部６４Ａ、６５Ａに挿入可能な外形である延設部５を設けたことである。よって、この第２実施形態に係るプラグ変換アダプタ１Ａは、上記第１実施形態に係るプラグ変換アダプタ１と延設部５をアダプタピン２２、２２とケーシング２１との間に設けたことが大きく相違するだけで、ほとんど構成は同一である。従って、第２実施形態に係るプラグ変換アダプタ１Ａの説明においては、上記第１実施形態に係るプラグ変換アダプタ１と同一の構成、機能を有する部分については同一の符号を付し、説明は省略する。
【００４２】
延設部５は、ケーシング２１に延設されて一体成形により形成されており、アダプタピン２２がその前面側に突出するように取り付けられている。ここでは、延設部５の断面形状（断面は電源コンセントに対する面）は、ケーシング２１の外形に相似形で縮小して形成されている。なお、この形状は、Ｃタイプの電源コンセントの凹部にフィットするように形成すれば電源コンセントに差し込んだ際に、ぐらつきを防止できるので好適である。なお、最低限上記電源コンセントの凹部６４Ａ、６５Ａに挿入可能な外形、大きさであればよい。
【００４３】
プラグ変換アダプタ１Ａの内部構造については、上記第１実施形態のプラグ変換アダプタ１と同様であるが、延設部５の長さだけ、アダプタピン２２、２２は長く形成されている。その他の構成については、上記第１実施形態に係るプラグ変換アダプタ１と同様であるので説明は省略する。
【００４４】
上記のように構成されたプラグ変換アダプタ１あるいはプラグ変換アダプタ１Ａを使用すれば、Ａタイプ、Ｂタイプ、Ｃタイプ、ＳＥタイプ及びＯタイプの電源アダプタに対応可能となる。
【００４５】
但し、プラグ変換アダプタ１あるいはプラグ変換アダプタ１Ａのみを使用するだけでは、電源端子の差込口の他に、シャッタ開閉用ピン孔も備えたシャッタ開式３つ孔タイプ（Ｂ３タイプ、ＢＦタイプ、ＢＦ３点式タイプ、Ｏ２タイプなど）の電源コンセントには対応できない。すなわち、シャッタ開閉用ピン孔にピンを挿入しシャッタを開ける必要がある。そこで、上記構成のプラグ変換アダプタ１あるいはプラグ変換アダプタ１Ａの他に、以下のような補助プラグを設けたものが本発明のプラグ変換アダプタ器具であり、このようなプラグ変換アダプタ器具を使用すれば、全てのタイプの電源コンセントに対応可能となる。
【００４６】
以下においては、補助プラグの構成及びプラグ変換アダプタ器具の使用例を図５及び図８を参照して説明する。なお、使用するプラグ変換アダプタ１あるいはプラグ変換アダプタ１Ａの構成については、上記において説明したので説明は省略する。
【００４７】
図５は、本発明に係る実施形態のプラグ変換アダプタ器具における補助プラグの構成を示す図であり、（ａ）及び（ｂ）は斜視図、（ｃ）は側面図、図８は、本発明に係るプラグ変換アダプタ器具を種々のタイプ（ＢＦ、Ｂ３、Ｏ２タイプ）の電源コンセントに対応させて使用する場合の説明図である。なお、図８に示すプラグ変換アダプタにおいては、（ａ）ではＣタイプに用いるプラグ変換アダプタ１ＡをＢＦタイプに兼用して使用する場合、（ｂ）ではＳＥタイプに用いるプラグ変換アダプタ１ＡをＢ３タイプに兼用して使用する場合をそれぞれ示している。
【００４８】
図５に示すように、補助プラグ４は、ＢＦ３点式タイプまたはＯ２タイプのシャッタ開閉式の電源コンセントに対してアダプタプラグを装着する際に使用するプラグである。補助プラグ４は、絶縁体で形成された１つの基板４１と、基板４１上に設けられた４種類のマスタキーピン４２、４３、４４、４５と、基板４１に貫通形成されたピン挿入孔４６とを備えている。
【００４９】
基板４１は、例えばポリカーボネイト，ベークライト，エボナイト，プラスチック等の素材で成形され、その形状は下部における幅が上部における幅よりも若干広く、側面部が全体に亘り角がないように滑らかに面取り加工されている。なお、基板４１の厚さは約５ｍｍである。
【００５０】
基板４１の表面には、ピン断面が角型の第１マスタキーピン４２と、ピン断面が角型の第２マスタキーピン４３と、ピン断面が角型の一対の第３マスタキーピン４４、４４とが突設されており、基板４１の裏面には、ピン断面が丸型の第４マスタキーピン４５が突設されている。
【００５１】
第１マスタキーピン４２は、素材が基板４１と同一の素材で一体成形され、その長さが約９ｍｍに設定されている。ピンの断面形状は、ＢＦ３点式タイプの電源コンセントに設けられたシャッタ開閉用ピン孔の孔形状と合致するように、幅が８ｍｍ、厚さが４ｍｍに設定されている。
【００５２】
第２マスタキーピン４３は、第１マスタキーピン４２の先端を延長した先に同一素材で一体成形され、その長さが約１３ｍｍに設定されている。ピンの断面形状は、Ｏ２タイプの電源コンセントに設けられたシャッタ開閉用ピン孔の孔形状と、Ａタイプの電源コンセントに設けられたアース端子孔の孔形状と、の双方に合致するサイズとされ、幅は特に限定されず、厚さが２ｍｍ以下に設定されている。ピンの先端部はその角が面取り加工され、シャッタ開閉用ピン孔への差し込みが容易となるように配慮されている。
【００５３】
第２マスタキーピン４３は、その幅と厚さがともに第１マスタキーピン４２の幅と厚さよりも小さく設定されているため、第２マスタキーピン４３と第１マスタキーピン４２との継ぎ目には段部が形成される。この段部は、第２マスタキーピン４３をＯ２タイプの電源コンセントのシャッタ開閉用ピン孔に差し込んだときのストッパとして機能し、第１マスタキーピン４２がこのシャッタ開閉用ピン孔に入り込むのを防止する。
【００５４】
第３マスタキーピン４４は、素材が基板４１と同一の素材で一体成形され、その長さが第１マスタキーピン４２と同じく約９ｍｍに設定されている。ピンの断面形状は、ＢＦ３点式タイプの電源コンセントに設けられたシャッタ開閉用ピン溝の形状と合致するように、幅が４ｍｍ、厚さが３ｍｍに設定されている。一対のピン４４、４４間の間隔は、一対のシャッタ開閉用ピン溝間の間隔と等しい長さに設定されている。なお、第３マスタキーピン４４の幅とピン挿入孔４６の孔径は同じサイズに設定されている。
【００５５】
基板４１の裏面には、アダプタ本体２の延設部５の断面形状と同一形状をなす凹部４７が形成されている。この凹部４７の内側には、基板４１の表面から裏面にかけて貫通し、ＢＦ／Ｃタイプのアダプタピン２２、２２が挿入される一対のピン挿入孔４６、４６が穿設されている。
【００５６】
一対のピン挿入孔４６、４６間の間隔は、ＢＦ／Ｃタイプのアダプタピン２２、２２間の間隔と同一間隔に形成されており、かつピン挿入孔４６の径はＢＦ／Ｃタイプのアダプタピン２２、２２に合致した大きさに形成されている。
【００５７】
なお、補助プラグ４に設けられた第１マスタキーピン４２と、一対の第３マスタキーピン４４、４４と、ピン挿入孔４６、４６とは、それぞれＢＦ３点式タイプの電源コンセントに設けられたシャッタ開閉用ピン孔と、一対のシャッタ開閉用ピン溝と、電力取出用ピン孔と適合する位置関係に形成されている。以上のようなＢＦ３点式タイプ及びＣタイプの電源コンセントの形状は周知なものであり、例えば、特許文献１に図示されている。
【００５８】
第４マスタキーピン４５は、素材が基板４１と同一の素材で一体成形され、その長さが約２１ｍｍに設定されている。ピンの断面形状は、Ｂ３タイプの電源コンセントに設けられたシャッタ開閉用ピン孔の孔形状と合致するようにその径が設定されている。ピンの先端部はその角が面取り加工され、シャッタ開閉用ピン孔への差し込みが容易となるように配慮されている。
【００５９】
なお、第４マスタキーピン４５と第１マスタキーピン４２および第２マスタキーピン４３とは、基板４１を介して略同一線上に形成されている。また、補助プラグ４に設けられた第１マスタキーピン４２と、一対の第３マスタキーピン４４、４４と、ピン挿入孔４６、４６とは、それぞれＢＦ３点式タイプの電源コンセントに設けられたシャッタ開閉用ピン孔と、一対のシャッタ開閉用ピン溝と、電力取出用ピン孔と適合する位置関係に形成されている。
【００６０】
次にこのように構成されたプラグ変換アダプタ器具の使用例を図８を参照して説明する。図８には、本発明に係るプラグ変換アダプタ器具を種々のタイプ（ＢＦ、Ｂ３、Ｏ２タイプ）の電源コンセントに対応させて使用する場合の説明図が示されており、（ａ）はＢＦタイプの電源コンセントに使用する場合、（ｂ）はＢ３タイプの電源コンセントに使用する場合、（ｃ）はＯ２タイプの電源コンセントに使用する場合をそれぞれ示す。
【００６１】
＜ＢＦタイプの電源コンセント使用する場合＞
ＢＦタイプの電源コンセント６６を使用する場合、図８（ａ）に示すように、第２マスタキーピン４３をシャッタ開閉用ピン孔６６ｃに、一対の第３マスタキーピン４４、４４（図示略）を一対のシャッタ６６ｂ、６６ｂに位置合わせして挿入する。
【００６２】
このとき、第２マスタキーピン４３がシャッタ開閉用ピン孔６６ｃの奥深くまで進入し、その根元にある第１マスタキーピン４２が挿入されるときには、一対の電力取出用ピン孔６６ａ、６６ａを塞いでいた一対のシャッタ６６ｂ、６６ｂが開き、一対の第３マスタキーピン４４、４４が挿入され、電源コンセント６６が使用可能な状態となる。
【００６３】
そして、補助プラグ４を電源コンセント６６に装着したままの状態で、プラグ変換アダプタ１Ａを電源コンセント６６に装着する。この装着方法は、アダプタピン２２を、補助プラグ４のピン挿入孔４６、４６を介して電源コンセント６６の電力取出用ピン孔６６ａ、６６ａに差し込むことにより行なう。
【００６４】
プラグ変換アダプタ１Ａの延設部５は、凹部４７に嵌め込まれることで補助プラグ４に対してぐらつくことなく堅固に固定され、その結果、アダプタピン２２、２２の電力取出用ピン孔６６ａに対する接触不良によるショート等を防止できて安全である。なお図８（ａ）においては、プラグ変換アダプタ１Ａをアダプタ本体２Ａの上にプラグアースカバー３が配置された状態で使用しているが、このプラグ変換アダプタ１Ａを図８（ｃ）に示すように天地逆さまにして使用することも可能である。
【００６５】
＜Ｂ３タイプの電源コンセント使用する場合＞
Ｂ３タイプの電源コンセント６７を使用する場合、図８（ｂ）に示すように、凹部４７を上側にして、第４マスタキーピン４５をシャッタ開閉用ピン孔６７ｃに挿入する。第４マスタキーピン４５が形成されている面には他に突起物がないため、第４マスタキーピン４５は根元まで深く進入し、一対の電力取出用ピン孔６７ａ、６７ａを塞いでいたシャッタ６７ｂ、６７ｂが開き、電源コンセント６７が使用可能な状態となる。
【００６６】
そして、補助プラグ４を電源コンセント６７に装着したままの状態で、プラグ変換アダプタ１Ａを電源コンセント６７に装着する。この装着方法は、アダプタピン２２、２２を、電源コンセント６７の電力取出用ピン孔６７ａ、６７ａに直接差し込むことにより行なうため、電源コンセント６７に対してぐらつくことなく堅固に固定される。その結果、アダプタピン２２、２２の電力取出用ピン孔６７ａに対する接触不良によるショート等を防止できて安全である。なお図８（ｂ）においては、プラグ変換アダプタ１Ａをアダプタ本体２Ａの上にプラグアースカバー３が配置された状態で使用しているが、このプラグ変換アダプタ１Ａを図８（ｃ）に示すように天地逆さまにして使用することも可能である。
【００６７】
＜Ｏ２タイプの電源コンセントの場合＞
Ｏ２タイプの電源コンセント６８を使用する場合、図８（ｃ）に示すように、ＢＦ３点式タイプの電源コンセント６６のときとは逆に、第３マスタキーピン４４、４４を上にして、第２マスタキーピン４３をシャッタ開閉用ピン孔６８ｃに挿入する。
【００６８】
このとき、第２マスタキーピン４３はシャッタ開閉用ピン孔６８ｃに差し込まれるが、その根元にある第１マスタキーピン４２はシャッタ開閉用ピン孔６８ｃには入らないサイズであることから段部Ｒの位置で止まる。一方、第３マスタキーピン４４、４４の長さは第１マスタキーピン４２の長さＬと等しく形成されているため、第３マスタキーピン４４、４４の先端が電源コンセント６８の壁面に当接する。このようにして、基板４１は電源コンセント６８の壁面に対して段部Ｒと一対の第３マスタキーピン４４、４４の３点で支持され、補助プラグ４が電源コンセント６８に対して平行な状態で安定して装着される。また、一対の電力取出用ピン孔６８ａ、６８ａを塞いでいた一対のシャッタ６８ｂ、６８ｂが開き、電源コンセント６８が使用可能な状態となる。
【００６９】
そして、補助プラグ４を電源コンセント６８に装着したままの状態で、プラグ変換アダプタ１を電源コンセント６８に装着する。この装着方法は、アダプタピン２２、２２を電源コンセント６８の電力取出用ピン孔６８ａ、６８ａに直接差し込むことにより行なうため、電源コンセント６８に対してぐらつくことなく堅固に固定され、その結果、アダプタピン２２、２２の電力取出用ピン孔６８ａ、６８ａに対する接触不良によるショート等を防止できて安全である。
【００７０】
以上のように、プラグ変換アダプタ１あるいはプラグ変換アダプタ１Ａと、補助プラグ４があれば、全ての電源コンセントの規格に適応可能となる。また、このプラグ変換アダプタ１あるいはプラグ変換アダプタ１Ａに接続する電気機器の電源プラグが３極タイプの場合には、プラグアースカバー３を装着して使用すれば、電源プラグの接地端子が外部に露出することがない。一方、接地端子がない２極タイプの電源プラグのみを接続する場合には、プラグアースカバー３を使用しなくていいので、プラグ変換アダプタを小型化できるし、携帯性にも優れ、ユーザにとっては使い勝手がよくなる。
【００７１】
また、上記においては、Ｂ３タイプ，ＢＦタイプ，ＢＦ３点式タイプ，またはＯ２タイプのいずれかのタイプの電源コンセントにプラグ変換アダプタを装着する際には、補助プラグを使用するとして説明したが、図９（ａ）、（ｂ）あるいは図１１（ａ）、（ｂ）に示すようなプラグアースカバーを用いれば、補助プラグが不要となる。以下この実施形態（第３実施形態）に係るプラグ変換アダプタについて図９〜図１１を参照して説明する。なお、上記説明したプラグ変換アダプタと相違する部分のみ説明し、同一の部分については説明を省略する。
【００７２】
図９は本発明に係る第３実施形態に係るプラグ変換アダプタを種々のタイプ（ＢＦ、Ｂ３、Ｏ２）の電源コンセントに対応させて使用する場合の説明図、図１０は本発明に係る第３実施形態に係るプラグ変換アダプタを種々のタイプ（ＢＦ、Ｂ３）の電源コンセントに対応させて使用する場合の説明図、図１１は本発明に係る第３実施形態に係るプラグ変換アダプタのプラグアースカバーの正面図をそれぞれ示す。
【００７３】
第３実施形態に係るプラグ変換アダプタにおいても、アダプタ本体の形状は図１に示すものと同様であり、相違する点は、後述するようにプラグアースカバーの形態である。
【００７４】
すなわち、本実施形態に使用するプラグアースカバー（３Ａ−１あるいは３Ａ−２）には、その正面側に図２（ａ）に示すような挿入孔３２が穿設されておらず、その代わりに、図１１（ａ）に示すように上記説明した第１マスタキーピン４２及び第２マスタキーピン４３あるいは、図１１（ｂ）に示すように第４マスタキーピン４５がそれぞれ一体成形により突設されている。図１１（ａ）示すプラグアースカバー３Ａ−１を有するプラグ変換アダプタ１Ｂは、ＢＦタイプ、ＢＦ３点式タイプ及びＯ２タイプの電源コンセントに使用する際の形態である。一方、図１１（ｂ）に示すプラグアースカバー３Ａ−２を有するプラグ変換アダプタ１Ｂは、Ｂ３タイプの電源コンセントに使用する際の形態である。
【００７５】
上記説明したように、第１マスタキーピン４２、４２は、ＢＦタイプまたはＢＦ３点式タイプの電源コンセントに設けられたシャッタ開閉用ピン孔に差し込まれる。第２マスタキーピン４３は、第１マスタキーピン４２、４２の先端に延長して設けられ、Ｏ２タイプの電源コンセントに設けられたシャッタ開閉用ピン孔に差し込まれて電力取出用ピン孔を塞いでいるシャッタを開く点については、上記と同様である。
【００７６】
一方、第４マスタキーピン４５は、Ｂ３タイプの電源コンセントに設けられたシャッタ開閉用ピン孔に差し込まれて電力取出用ピン孔を塞いでいるシャッタを開く点については上記と同様である。
【００７７】
また、図１０に示すタイプのプラグ変換アダプタ１Ｃにおいては、上記と異なりアダプタ本体に図４に示すアダプタ本体２Ａを使用している。プラグアースカバーの構成は上記と略同様であるが、延設部５の長さ分だけ第２マスタキーピン４３あるいは第４マスタキーピン４５の長さが上記に比べて長く形成されている。その他の点に関しては上記説明したのと同様である。
【００７８】
このような第３実施形態に係るプラグ変換アダプタ１Ｂを使用した場合には、上記説明した補助プラグ４を用いなくてもＢＦタイプまたはＢＦ３点式タイプの電源コンセントあるいはＯ２タイプの電源コンセントに使用できるので、使用者にとっては携帯性に優れ使い勝手もよい。
【図面の簡単な説明】
【００７９】
【図１】本発明に係る第１実施形態のプラグ変換アダプタのアダプタ本体の構成を示す図であり、（ａ）は正面図、（ｂ）は裏面図、（ｃ）は斜視図、（ｄ）は側面図、（ｅ）は部分断面図。
【図２】本発明に係る第１実施形態のプラグ変換アダプタのプラグアースカバーの構成を示す図であり、（ａ）は正面図、（ｂ）は背面図、（ｃ）は側面図、（ｄ）は上面図。
【図３】本発明に係る第１実施形態のプラグ変換アダプタの構成を示す図であり、（ａ）は正面図、（ｂ）は背面図。
【図４】本発明に係る第２実施形態のプラグ変換アダプタのアダプタ本体の構成を示す図であり、（ａ）は正面図、（ｂ）は裏面図、（ｃ）は斜視図、（ｄ）は側面図。
【図５】本発明に係る実施形態のプラグ変換アダプタ器具における補助プラグの構成を示す図であり、（ａ）及び（ｂ）は斜視図、（ｃ）は側面図である。
【図６】本発明に係る第１実施形態に係るプラグ変換アダプタを種々のタイプ（Ａ、Ｂ、Ｏタイプ）の電源コンセントに対応させて使用する場合の説明図。
【図７】本発明に係る第２実施形態に係るプラグ変換アダプタを種々のタイプ（Ｃ、ＳＥタイプ）の電源コンセントに対応させて使用する場合の説明図。
【図８】本発明に係るプラグ変換アダプタ器具を種々のタイプ（ＢＦ、Ｂ３、Ｏ２タイプ）の電源コンセントに対応させて使用する場合の説明図。
【図９】本発明に係る他の形態に係るプラグ変換アダプタを種々のタイプ（ＢＦ、Ｂ３、Ｏ２タイプ）の電源コンセントに対応させて使用する場合の説明図。
【図１０】本発明に係る他の形態に係るプラグ変換アダプタを種々のタイプ（ＢＦ、Ｂ３タイプ）の電源コンセントに対応させて使用する場合の説明図。
【図１１】本発明に係るプラグ変換アダプタのプラグアースカバーの正面図。
【図１２】本発明に係る第１実施形態のプラグ変換アダプタに電源プラグを接続した状態を示す一部断面図。
【図１３】従来のアダプタープラグに３極タイプの電源プラグを接続した状態を示す一部断面図。
【符号の説明】
【００８０】
１、１Ａ  プラグ変換アダプタ
２、２Ａ  アダプタ本体
２１  ケーシング
２２  アダプタピン
２３  ソケット
２４  ガイド溝
２５  電源確認ランプ
２６  凹部
３、３Ａ−１、３Ａ−２  プラグアースカバー
３１  ケーシング
３２  挿入孔
３３  ガイドレール
３４  凸部
３５  胴体部
４    補助プラグ
４１  基板
４２  第１マスタキーピン
４３  第２マスタキーピン
４４  第３マスタキーピン
４５  第４マスタキーピン
４６  ピン挿入孔
４７  凹部
５    延設部
６１  電源コンセント（Ａタイプ）
６２  電源コンセント（Ｂタイプ）
６３  電源コンセント（Ｏタイプ）
６４  電源コンセント（Ｃタイプ）
６５  電源コンセント（ＳＥタイプ）
６６  電源コンセント（ＢＦタイプ）
６７  電源コンセント（Ｂ３タイプ）
６８  電源コンセント（Ｏ２タイプ）
Ｄ１  第１の溝
Ｄ２  第２の溝
ＯＰ１  第１の開口部
ＯＰ２  第２の開口部
ＳＨ  細長状の穴
【要約】
【課題】３極タイプの電源プラグを接続する際にも接地端子が外部に露出することなく、そのうえ携帯性にも優れたプラグ変換アダプタ及びプラグ変換アダプタ器具を提供する。
【解決手段】一対のアダプタピン２２、２２及び一対のソケット２３、２３を有するアダプタ本体２と、３極タイプの電気機器の電源プラグの接地端子を挿入する挿入孔３２を有するプラグアースカバーとが、ガイド溝２４、２４及びガイドレール３３により着脱自在に取り付けられる。
【選択図】図３【図１】
0004206119.tif 000002
【図２】
0004206119.tif 000003
【図３】
0004206119.tif 000004
【図４】
0004206119.tif 000005
【図５】
0004206119.tif 000006
【図６】
0004206119.tif 000007
【図７】
0004206119.tif 000008
【図８】
0004206119.tif 000009
【図９】
0004206119.tif 000010
【図１０】
0004206119.tif 000011
【図１１】
0004206119.tif 000012
【図１２】
0004206119.tif 000013
【図１３】
0004206119.tif 000014